(57)【要約】      （修正有）【課題】従来の埋め込みコーンの取り付けは手作業によるが、電動ドリルの六角ソケットに組み合わせて容易に、かつスピーディに取り付けられるアダプターソケットを提供する。【解決手段】合成樹脂素材又は硬質ゴム素材により、コンクリート型枠形成時に用いる先付け用の埋め込みコーンの小径側が、一定の深さ収まる逆台形凹部２を形成するコーンホルダー３の背面中央部に、外形が六角で、かつ内側が前記逆台形凹部２に通じる軸足穴４を有する一定の長さの六角軸５を設けてなるアダプターソケット１を構成する。【選択図】図１
0003143598.tif 000002
【実用新案登録請求の範囲】
【請求項１】
コンクリート型枠形成時に用いる埋め込みコーンを、電動ドリルで丸セパレータに取り付けられるアダプターソケットであって、合成樹脂素材又は硬質ゴム素材によって、円錐台形状の埋め込みコーンの小径側が嵌り込む逆台形凹部を形成したコーンホルダーの背面中央部に、前記逆台形凹部に通じる軸足穴付き六角軸を設けてなる構成を特徴とする型枠保持用埋め込みコーンアダプターソケット。
【請求項２】
コンクリート型枠形成時に用いる埋め込みコーンを、電動ドリルで丸セパレータに取り付けられるアダプターソケットであって、金属素材により、内側が逆台形凹部を成すコーンホルダーを形成した内側開口寄りに複数個の突起を設け、かつ前記コーンホルダーの小径側外部に軸棒を取り付けてなる構成を特徴とする型枠保持用埋め込みコーンアダプターソケット。
【考案の詳細な説明】
【技術分野】
【０００１】  本考案は、コンクリートの型枠形成時に用いる先付けの埋め込みコーン（埋め込みコンとも称す）を、電動ドリルを用いて、きわめて容易にして効率よく、かつ作業スピードを上げられるコンクリート型枠保持用の埋め込みコーンのアダプターソケットに関する。
【背景技術】
【０００２】  従来より、構築物のコンクリート打設作業においては、あらかじめ型枠を丸セパレータやＰコンや埋め込みコーンなど様々な器具を用いて型枠を形成し、その上でコンクリートを流し込んでいる。【０００３】  その型枠形成時に用いる円錐台形状のＰコンをコンクリート型枠に取り付ける際は、電動ドリル用の六角ソケットによって丸セパーレートに取り付けられ、硬化後にコンクリートから取り外すにも電動ドリルで容易に行える。【０００４】  他方、コンクリートに埋め込む円錐台形状の先付けの埋め込みコーンは、手袋を付けてから手作業により一つ一つ型枠の丸セパレータに取り付けている。
【考案が解決しようとする課題】
【０００５】  前記するような方法で型枠を形成する丸セパレータに先付けの埋め込みコーンを取り付けているが、円錐台形状を成す埋め込みコーンの外周は丸く、かつ傾斜しているので掴みにくいため、仮にスベリ止めゴム付き手袋を付けていても数多くの丸セパレータに一つ一つ取り付けるには、例え熟練者であっても手間が掛り作業スピードを速く行えないなど、単純な仕事でありながら作業コストがかなり掛る上、足場を組んだ高い所で安全を気にしながら手作業で一々取り付けるには神経も使うし、体力も必要とするなどの不便があった。
【課題を解決するための手段】
【０００６】  前記するような従来の不便や欠点を解消するために、請求項１においては、合成樹脂又は硬質ゴム素材によって、円錐台形状の埋め込みコーンの小径側が嵌り込む逆台形凹部を形成したコーンホルダーの背面中央部に、前記逆台形凹部に通じる軸足穴付き六角軸を設けてなるアダプターソケットとすることで、埋め込みコーンを丸セパレータに取り付ける際は、前記コーンホルダーに埋め込みコーンを組み合わせた後に電動ドリルに取り付けて回転させると、数多くの取り付け作業であっても手を傷めたり、疲れることもなく手早く行えるものとする。
【０００７】  請求項２においては、金属素材により内側が逆台形凹部を成すコーンホルダーを形成した内側開口寄りに複数個の突起を設け、かつ前記コーンホルダーの小径側の外部中央部に軸棒を取り付けたアダプターソケットとすることで、耐久性があり、かつ電動ドリルのチャックに直接取り付けられるものとする。
【考案の効果】
【０００８】  本考案のアダプターソケットにおける第１実施形態は、円錐台形状の埋め込みコーンの小径側が収まり、かつ背面には電動ドリルの六角ソケットにきつく嵌め込まれる六角軸を備えるとともに、合成樹脂素材で一体形成された極めてシンプルな構成であるので製造コストも安価に提供できる。また第２実施形態に示すタイプは金属素材で耐久性があり、かつ、電動ドリルに直接軸棒をドリルのチャックに取り付けて使える便利さを得られる。
【０００９】  さらに、使用法方は、第１実施形態は電動ドリルに取り付けた六角ソケットに、アダプターソケットの六角軸をきつく嵌め込んだ上で、埋め込みコーンの小径側をアダプターソケットにセットしてから型枠の丸セパレータに当てがって電動ドリルを回転させるだけでよく、第２実施形態の場合は、コーンホルダーの軸棒を直接ドリルのチャックに取り付けるだけで、スベリ易く取り付けにくい埋め込みコーンを、熟練者でなくても手早く、かつスピーディに取り付けられる埋め込みコーン専用のアダプターソケットを提供できる。
【００１０】  加えて、電動ドリルの回転を反転すれば埋め込みコーンの取り外しも簡単にできるとともに、手で取り付ける作業に比べて楽に取り付けられるので、手の疲れも半減し、長時間の作業であっても格段に早く、作業コストを大幅に軽減することが可能となる、従来には見られない機能的にして扱いやすい型枠形成用備品となる。
【考案を実施するための最良の形態】
【００１１】  本考案によるアダプターソケットの第１実施形態を、図１に示す斜視図と図２に示すＡ−Ａ線断面図、図３に示す正面図及び図４に示すセパレータへの取り付け使用状態の参考図で説明する。
第１実施形態によるアダプターソケット１は、合成樹脂素材又は硬質ゴム素材により、コンクリート型枠形成時の先付けとして用いる円錐台形状の埋め込みコーンの小径側が、一定の深さ収まる逆台形凹部２を形成するコーンホルダー３の背面中央部に、外形が六角で、かつ内側が前記逆台形凹部２に通じる軸足穴４を有する一定の長さの六角軸５を設けたアダプターソケット１を一体形成してなる構成とする。【００１２】  第Ｉ実施形態によるアダプターソケット１は、適度な柔らかさを有する合成樹脂素材により、コンクリート型枠締め付け時に用いる埋め込みコーンの小径側が収まるコーンホルダー３の背部に、電動ドリルに取り付けた六角ソケットにきつく嵌る太さの六角軸５を設けたアダプターソケット１を一体形成してなるので、前記の六角軸５を電動ドリルの六角ソケットに係合させて回転させることができる。【００１３】  次に、その電動ドリル６を用いて、型枠を形成する丸セパレータ７に本考案によるアダプターソケット１によって埋め込みコーン９を取り付ける手順を、図４の一部を欠いた（イ）（ロ）（ハ）（ニ）図で順に説明する。【００１４】  まず、電動ドリル６には専用の六角ソケット８を（イ）図のように取り付けた上、その六角ソケット８に、本考案のアダプターソケット１の六角軸５を（ロ）図のようにきつく係合させて取り付ける【００１５】  次に、そのアダプアターソケット１の逆台形凹部２に、型枠の丸セパレータに取り付ける埋め込みコーン９の小径側を差し込むと（ハ）図のように半分入った状態にセットされる。【００１６】  以上のように埋め込みコーン９をセットした上で、（ニ）図のように型枠に取り付けられている丸セパレータ７端部に当てがってから電動ドリル６を回転させると、埋め込みコーン９は回転しながらネジ込まれて容易に取り付けられる。【００１７】  その後は、そのまま電動ドリル６を引き抜くとアダプターソケット１は外れて空になるので、次の埋め込みコーン９をアダプターソケット１に組み合わせて順次丸セパレータ７に取り付けできるため、型枠の締め付け作業を効率良くスピードアップできる。【００１８】  尚、埋め込みコーン９の取り付けを間違えたりした場合は、埋め込みコーン９にアダプターソケット１を少し押し付けるようにしながら電動ドリル６を逆回転させると、埋め込みコーン９は反転しながら丸セパレータ７から取り外せる。【００１９】  次にアダプターソケットの第２実施形態を、図５に示す斜視図と図６に示す埋め込みコーンを組み合わせた状態を示す断面図で説明する。
第２実施形態のアダプターソケット１は、鉄などによる金属素材とし、かつ、ドリルへの取り付けは、直接電動ドリルのチャック締め付け方式である。まず、本実施形態によるアダプターソケット１の素材は、鉄素材によって内側底部が小径を成す逆台形凹部２を成すコーンホルダー３を形成し、そのコーンホルダー３の開口側端部の三ケ所を内側に折り曲げてなる突起１０，１０，１０を設けるとともに、前記コーンホルダー３の小径側の外面底部に、ドリルのチャックに差し込む軸棒１１を取り付けてなるアダプターソケット１を構成する。【００２０】  第２実施形態によるアダプターソケット１は金属素材であるので丈夫である上、電動ドリルに取り付ける方法は、コーンホルダー３の底部に取り付けた軸棒１１を、直接電動ドリルのチャックに差し込んで締め付けるだけで直ぐに使える。また、取り外すのもチャックを緩めると容易に取り外せる。さらにアダプターソケット１に埋め込みコーン９を組み合わせた場合は、内側に複数個のスベリ止めの突起１０，１０を設けているので、図６に示すように埋め込みコーン９は空スベリすることなくアダプターソケット１と一体に回転して、前記第１実施形態と同様に埋め込みコーン９を丸セパレータ７（図示せず）に取り付けられる。【００２１】  第１実施形態のアダプターソケット１は、電動ドリル用の六角ソケット８にきつく嵌り、かつ分離できる素材として合成樹脂や硬質ゴム素材が好ましいが、容易に脱落しない素材であるなら合成樹脂以外の素材でも差し支えない。また第２実施形態の素材は鉄であるが、鉄以外いずれの金属でもよい。さらに突起１０は縁を折り曲げて形成しているが、砂粒大の鉄屑を溶接してもよく、いずれも特に限定するものではない。
【図面の簡単な説明】
【００２２】
【図１】本考案のアダプターソケットの第１実施形態を示す背面斜視図である。
【図２】第１実施形態のアダプターソケットのＡ−Ａ線断面図である。
【図３】第１実施形態のアダプターソケット示す正面図である。
【図４】第１実施形態のアダプターソケットを、電動ドリルの六角ソケットに取り付けて、（イ）（ロ）（ハ）（ニ）の順に埋め込みコーンを丸セパレータに取り付ける説明図である。
【図５】第２実施形態のアダプターソケットを示す斜視図である。
【図６】第２実施形態のアダプターソケットに埋め込みコーンを組み合わせた状態を示す参考縦断面図である。
【符号の説明】
【００２３】１  アダプターソケット
２  逆台形凹部
３  コーンホルダー
４  軸足穴
５  六角軸
６  電動ドリル
７  丸セパレータ
８  六角ソケット
９  埋め込みコーン
１０  突起
１１  軸棒
【図１】
0003143598.tif 000003
【図２】
0003143598.tif 000004
【図３】
0003143598.tif 000005
【図４】
0003143598.tif 000006
【図５】
0003143598.tif 000007
【図６】
0003143598.tif 000008